(57)【要約】【課題】デザイン性を重視したセパレートタイプで薄型表示装置の表示画面の方向を簡易な構造で容易に回転させることができるようにしたスタンドを提供する。【解決手段】スタンドは、表示装置を保持するための２つのスタンド部材（１）により構成される。各スタンド部材（１）は、固定され円軌道に沿った形状を有するガイドレール（１８）と、ガイドレール（１８）上を円軌道に沿ってスライド可能に取り付けられたスライド部材（１６，１４）と、スライド部材（１６、１４）に対して取り付けられた支柱（１１）とを有し、それぞれのスライド部材（１６、１４）の支柱（１１）を表示装置の所定位置に固定し、ガイドレール（１８）上でスライド部材（１６、１４）をスライドさせることにより、表示装置の表示画面が回転する。【選択図】図３
2016057517.tif 000002
【特許請求の範囲】
【請求項１】
表示装置を保持するために用いられるスタンドであって、該スタンドは、前記表示装置を保持するための２つのスタンド部材により構成され、
各前記スタンド部材は、
固定され円軌道に沿った形状を有するガイドレールと、前記ガイドレール上を円軌道に沿ってスライド可能に取り付けられたスライド部材と、該スライド部材に対して取り付けられた支柱とを有し、それぞれの前記スライド部材の前記支柱を前記表示装置の所定位置に固定し、前記スライドレール上で前記スライド部材をスライドさせることにより、前記表示装置の表示画面が回転する、ことを特徴とするスタンド。
【請求項２】
請求項１に記載のスタンドにおいて、
前記支柱は、該スライド部材に対して軸心を回転軸として回転可能に取り付けられ、
前記２つのスタンド部材のガイドレールは、一方のスタンド部材のガイドレールの所定位置に前記スタンドレールを固定したときに、他方のスタンド部材のガイドレールが、前記一方のスタンドレールの固定位置における前記支柱の回転軸を中心とした円軌道に沿った形状に形成されていることを特徴とするスタンド。
【請求項３】
請求項１に記載のスタンドにおいて、
前記２つのスタンド部材のガイドレールは、一方のスタンド部材のガイドレールの円軌道と、他方のスタンド部材のガイドレールの円軌道とが、一つの円軌道に沿った形状に形成されていることを特徴とするスタンド。
【請求項４】
請求項３に記載のスタンドにおいて、
前記スタンドは、先端にピンを備えた回転中心軸部材を有し、前記回転中心軸部材は、該回転中心軸部材を前記表示装置に取り付けたときに前記スタンドを設置した水平面に圧接して、該表示装置の回転中心軸として機能することを特徴とするスタンド。
【発明の詳細な説明】
【技術分野】
【０００１】
本発明は、スタンドに関し、より詳細には、表示装置を支持するためのスタンドに関する。
【背景技術】
【０００２】
テレビやモニターなどの薄型の表示装置が普及しているが、これら表示装置では、多くの場合、スタンドを取り付けて表示装置を保持する形態がとられる。表示装置の大型化に伴い、スタンドの形状は、そのデザイン性を重視したセパレートタイプのものが多くなっている。セパレートタイプのスタンドは、一体的に構成されたスタンドに対して表示装置を取り付けるものではなく、例えば左右の脚部となるスタンド部材をそれぞれ分離して構成したものをいう。
また、上記のようなデザイン性を重視したセパレートタイプの構成に加えて、表示装置の視聴者がどのような位置にいても、表示装置を回転させてその表示画面を視聴者に正対可能とするスイベル機能が、その表示画面の大小に関わらず求められる。
【０００３】
テレビ等の表示装置のスタンドの構成に関して、例えば特許文献１には、製品を回転可能に支持するための回転受け台を有する２軸回転装置、およびその制御方法が開示されている。この２軸回転装置は、製品の下面（または回転受け台）に、所定距離離れて突設された２個の回転軸と、それら回転軸が突説された側とは反対側に、回転軸をそれぞれ受容する２つの円弧状の移動案内溝が備えられる。移動案内溝は、相対側の他方の移動案溝に受容された回転軸を中心とする円弧上に形成されている。これにより、ＴＶ受像器やパソコンモニターなどの製品の画面の向きを、壁面に密着させた状態で壁面と衝突することなく調節することが可能となり、さらに動力を利用して自動的に画面の向きを調節し得るものとされている。
【先行技術文献】
【特許文献】
【０００４】
【特許文献１】特許第３３９１７４号公報
【発明の概要】
【発明が解決しようとする課題】
【０００５】
セパレートタイプのスタンドに対して上記のようなスイベル機構を設ける場合、その構造が複雑になったり、強度を確保するためにその構造物が肥大化してしまい、デザインを損ねてしまったり、コストが増大するなどの問題が生じ、スイベル機構を断念する場合があった。
上記特許文献１では、テレビなどの表示装置を固定するための固定軸を表示装置または回転受け台に２つ設け、１方の回転軸を中心とする円弧上に他方の回転軸をスライドさせることで、表示装置の画面の向きを回転できるようにしている。しかしながら特許文献１に記載された２軸回転装置は、スタンドが左右に分離したものではなく、板状の回転受台に表示装置を固定する構成を有しているため、構造物が肥大化して重くなり、またセパレートタイプのようなデザイン性を得ることができない。
【０００６】
本発明は、上述のごとき実情に鑑みてなされたものであり、表示装置を保持するために用いられるスタンドにおいて、デザイン性を重視したセパレートタイプで薄型表示装置の表示画面の方向を簡易な構造で容易に回転させることができるようにしたスタンドを提供することを目的とする。
【課題を解決するための手段】
【０００７】
上記課題を解決するために、本発明の第１の技術手段は、表示装置を保持するために用いられるスタンドであって、該スタンドは、前記表示装置を保持するための２つのスタンド部材により構成され、各前記スタンド部材は、固定され円軌道に沿った形状を有するガイドレールと、前記ガイドレール上を円軌道に沿ってスライド可能に取り付けられたスライド部材と、該スライド部材に対して取り付けられた支柱とを有し、それぞれの前記スライド部材の前記支柱を前記表示装置の所定位置に固定し、前記スライドレール上で前記スライド部材をスライドさせることにより、前記表示装置の表示画面が回転する、ことを特徴としたものである。
【０００８】
第２の技術手段は、第１の技術手段において、前記支柱が、該スライド部材に対して軸心を回転軸として回転可能に取り付けられ、前記２つのスタンド部材のガイドレールは、一方のスタンド部材のガイドレールの所定位置に前記スタンドレールを固定したときに、他方のスタンド部材のガイドレールが、前記一方のスタンドレールの固定位置における前記支柱の回転軸を中心とした円軌道に沿った形状に形成されていることを特徴としたものである。
【０００９】
第３の技術手段は、第１の技術手段において、前記２つのスタンド部材のガイドレールが、一方のスタンド部材のガイドレールの円軌道と、他方のスタンド部材のガイドレールの円軌道とが、一つの円軌道に沿った形状に形成されていることを特徴としたものである。
【００１０】
第４の技術手段は、第３の技術手段において、前記スタンドが、先端にピンを備えた回転中心軸部材を有し、前記回転中心軸部材は、該回転中心軸部材を前記表示装置に取り付けたときに前記スタンドを設置した水平面に圧接して、該表示装置の回転中心軸として機能することを特徴としたものである。
【発明の効果】
【００１１】
本発明によれば、表示装置を保持するために用いられるスタンドにおいて、デザイン性を重視したセパレートタイプで薄型表示装置の表示画面の方向を簡易な構造で容易に回転させることができるようにしたスタンドを提供することができる。
【図面の簡単な説明】
【００１２】
【図１】表示装置として構成されるテレビを本発明に係る実施形態のスタンドにより保持した状態を示す図である。
【図２】スタンド部材の分解構成例を示す図である。
【図３】図２に示すスタンド部材が組み立てられた状態の断面構成を示す図である。
【図４】スタンド部材のガイドレールの形状を規定した一実施形態を説明する図である。
【図５】スタンド部材のガイドレールの形状を規定した他の実施形態を説明する図である。
【図６】表示装置の回転中心軸となる部材を設置した構成例を示す図である。
【図７】本発明によるスタンド部材の他の構成例を示す断面図である。
【図８】本発明よるスタンド部材のさらに他の構成例を示す斜視図である。
【図９】図８の構成のスライド部材とガイドレールの構成を示す断面図である。
【図１０】図８および図９の構成のスライドテーブルの斜視下方図である。
【発明を実施するための形態】
【００１３】
図１は、表示装置として構成されるテレビを本発明に係る実施形態のスタンドにより保持した状態を示す図で、図中、１はスタンド部材、２は表示装置である。本実施形態のスタンドは、二つのスタンド部材１により構成され、セパレートタイプでデザイン性が高い構成を備える。
各スタンド部材１は、その上部に表示装置２を保持した状態で設置可能とされる。表示装置２は、例えば薄型のテレビであり、スタンド部材１のスイベル機構により水平方向に回転し、表示装置２の表示画面の向きを変化させることができる。スタンド部材１の構成と動作を以下に詳細に説明する。
【００１４】
図２は、スタンド部材の分解構成例を示す図である。スタンド部材１は、基台となるスタンドベース１９と、スタンドベース１９上に固定され円軌道に沿った形状を有するガイドレール１８と、ガイドレール１８上をその円軌道に沿ってスライド可能に取り付けられたスライドテーブル１６と、スライドテーブル１６の上面に固定されるプレート状のスライドプレート１４とを有する。スライドテーブル１６とガイドレール１８との境界部には、複数の金属性のボール１７を介在させ、ボール１７が自在に回転することにより、スライドテーブル１６に対するガイドレール１８のスライド動作を可能にする。
【００１５】
スライドプレート１４には、支柱軸１５を介して支柱１１が接続される。支柱１１は、支柱軸１５の軸心を回転軸としてスライドプレート１４に対して回転可能に構成される。本発明の一実施形態では、支柱軸１５がスライドプレート１４に対して回転可能とする構成は必須ではなく、支柱１１をスライドプレートに固定したものとしてもよい。
支柱１１の上方先端部には表示装置２が固定される。上記スライドテーブル１６とスライドプレート１４が本発明のスライド部材に相当する。
【００１６】
スタンドベース１９の下面には、底カバー２０が設置される。またスライドテーブル１６を取り付けたガイドレール１８の周囲を囲むように上カバー１２および保護用のプロテクションシート１３が設置される。
上記構成により、ガイドレール１８上でスライドテーブル１６をスライドさせることにより、表示装置２の表示画面を回転させることができる。
【００１７】
図３は、図２に示すスタンド部材１が組み立てられた状態を示す図で、図３（Ａ）はスタンド部材１の断面構成を示す図、図３（Ｂ）はスタンド部材１の要部斜視図である。
スタンド部材１には、ガイドレール１８を跨いで覆うように、スライドテーブル１６が取り付けられる。ガイドレール１８の両側側面とスライドテーブル１６のガイドレール側壁面との間には複数のボール１７を自由に回転可能に介在させて保持する。これによりスライドテーブル１６は、ガイドレール１８上をスライド動作する。
スライドテーブル１６上にはスライドプレート１４が固定され、スライドプレート１４に対して支柱軸１５により支柱１１が取り付けられる。
【００１８】
また、スタンド部材１には、スライドテーブル１６を所定位置でロックするための固定機構が設けられている。この例ではロック機構として、図３（Ａ）に示すスライドテーブル１６に位置決めピン２１を設け、スタンドベース１９の所定位置に位置決めピン２１が係合する凹部２２を設ける。位置決めピン２１は、スライドテーブル１６に対してその軸方向に進退可能に取り付けられ、バネ２３によりその軸方向に突出する方向に付勢される。バネ２３の付勢力が解放された状態では、位置決めピン２１はスライドテーブル１６の下面より突出する。従って、ガイドレール１８上をスライドテーブル１６が移動し、凹部２２が設けられた位置に位置決めピン２１が一致したときに、位置決めピン２１が凹部２２に係合してロックされる。位置決めピン２１は、バネ２３により付勢されているだけであるため、一定以上の力でスライドテーブル１６を押すことにより、位置決めピン２１と凹部２２との係合が解除されてスライドテーブル１６の移動が可能になる。
【００１９】
上記の構成のスタンド部材１により、以下の各実施形態のスタンドを実施することができる。
（実施形態１）
図４は、スタンド部材のガイドレールの形状を規定した一実施形態を説明する図で、スタンド部材のガイドレールを含む要部と、スタンド部材に取り付けられた表示装置２とを上方からみたときの構成を示す図である。
上記のように２つのスタンド部材１を表示装置２に取り付けて設置し、各スタンド部材１のガイドレール１８上でスライドテーブル１６をスライドさせることにより、表示装置２の表示画面の向きを回転させることができる。
【００２０】
それぞれのスタンド部材１のガイドレール１８には、上記スライドテーブル１６とスライドプレート１４からなるスライド部材がスライド可能に取り付けられ、支柱１１は、スライドプレート１４に対して、回転中心Ｃを通る回転軸の周りを回転可能に取り付けられる。支柱の上方先端側には、表示装置２が取り付けられる。
【００２１】
そして、本実施形態では、２つのスタンド部材１のガイドレール１８の形状は、一方のスタンド部材１のガイドレール１８の所定位置にスライド部材を固定したときに、他方のスタンド部材１にガイドレール１８は、その一方のスタンド部材１に取り付けられた支柱１１の回転中心Ｃを中心とした円軌道に沿った形状に形成されている。
図４の例では、図示左側のスタンド部材１のガイドレール１８の所定位置にスライド部材（スライドプレート１４およびその下側のスライドテーブル１６）を固定する。ここでは、ガイドレール１８の長手方向中間位置にスライド部材を固定する。このときに、図示右側のスタンド部材１のガイドレール１８は、左側のスタンド部材１の支柱１１の回転中心Ｃを中心とした円軌道に沿った形状とされている。つまり、各スタンド部材１のガイドレール１８は、相手側のスタンド部材１の所定位置に固定された支柱１１の回転中心Ｃを中心点として、半径を２Ｒの円に沿った形状とされる。
【００２２】
左側のスタンド部材１についても同様の形状とされる。つまり、図示右側のスタンド部材１のガイドレール１８の所定位置、ここではガイドレール１８の長手方向中間位置にスライド部材を固定したとき、図示左側のスタンド部材１のガイドレール１８は、右側のスタンド部材１の支柱１１の回転中心Ｃを中心とした円軌道に沿った形状とされている。
【００２３】
上記の構成により、表示装置２の表示画面の向きを変更したい場合には、一方のスタンド部材１の所定位置にスライド部材を固定し、他方のスタンド部材１１のガイドレール１８上でスライド部材をスライドさせることにより、スライド部材に取り付けられた支柱１がスライドし、支柱１１に固定されている表示装置２の表示画面の向きを変えることができる。
【００２４】
所定位置は、例えばガイドレール１８の長手方向中間位置とするが、一方のスライド部材を所定位置に固定するために、上記の固定機構が用いられる。ここでは、例えばガイドレール１８の長手方向中間位置で位置決めピン２１が凹部２２に係合してロックされるように設定することで、スタンド部材を所定位置で固定することができ、このときにこの状態のまま、他方のスタンド部材１のスライド部材をガイドレール１８上でスライドさせることにより、表示装置２の表示画面の向きを変えることができる。
【００２５】
（実施形態２）
図５は、スタンド部材のガイドレールの形状を規定した他の実施形態を説明する図で、スタンド部材のガイドレールを含む要部と、スタンド部材に取り付けられた表示装置２とを上方からみたときの構成を示す図である。
【００２６】
本実施形態では、上記実施形態１と同様に、それぞれのスタンド部材１のガイドレール１８には、上記スライドテーブル１６とスライドプレート１４からなるスライド部材がスライド可能に取り付けられ、支柱１１は、スライドプレート１４に対して、回転中心Ｃを通る回転軸の周りを回転可能に取り付けられる。支柱の上方先端側には、表示装置２が取り付けられる。
【００２７】
前記２つ部材のそれぞれのスタンド部材１のガイドレール１８は、各スタンド部材１の支柱１１に表示装置２を取り付けたときに、一方のスタンド部材１のガイドレール１８の円軌道と、他方のスタンド部材１のガイドレール１８の円軌道とが、一つの円軌道に沿った形状に形成されている。
つまり、図５の例に示すように、２つのスタンド部材１のガイドレール１８は、２つのスタンド部材１の中間点を中心Ｃとした半径Ｒの円に沿った形状とされる。中心Ｃは、各スタンド部材１のガイドレール１８の長手方向中間点同士を結ぶ線の中間点に一致する。
【００２８】
上記の構成により、表示装置２の表示画面の向きを変更したい場合には、両方のスタンド部材１のガイドレール１８上で両方のスライド部材を逆方向にスライドさせることにより、スライド部材に取り付けられた支柱１１がスライドし、支柱１１に固定されている表示装置２の表示画面の向きを変えることができる。本実施形態の場合には、スライド部材上で支柱１１が回転する必要がないため、スライド部材に対して支柱１１を回転可能に設けることは必須ではない。
【００２９】
（実施形態３）
図６は、表示装置の回転中心軸となる部材を設置した構成例を示す図で、図６（Ａ）はスタンド部材および回転中心軸部材を取り付けた表示装置の正面図、図６（Ｂ）は回転中心軸部材を設置した要部の斜視外観図である。
図５に示すように、スタンド部材１の中間点を回転中心として表示装置を回転させる実施形態２の構成例の場合、回転動作を安定して行うための回転中心軸部材３を設けるようにしてもよい。
【００３０】
回転中心軸部材３は、表示装置２の回転中心に一致する位置に取り付けられるもので、表示装置２に取り付けられるアングル３１と、アングル３１の底部に設けられるピン３２とを有している。ここではピン３２の先端を表示装置２の回転中心に一致させる。
表示装置２にスタンド部材１を取り付けて水平面上に設置したとき、ピン３２の先端が水平面に圧接する。これにより表示装置２を回転させるときに、ピン３２が回転中止軸として機能するため、回転動作を安定して実行させることができる。
【００３１】
（実施形態４）
図７は、本発明によるスタンド部材の他の構成例を示す断面図である。本発明に係るスタンド部材１は、上記図３（Ａ）の構成の他、図７のように構成することができる。
図７の構成例では、ガイドレール１８を跨ぐように構成されるスライドテーブル１６の一部を分離して、ガイドレール１８の一方の側の部材を水平方向に移動可能とすることで、ガイドレール１８との摩擦抵抗があってもスライド動作を円滑に行うことができるようにしている。
【００３２】
具体的には、図７のスライドテーブル１６は、ガイドレール１８の一方の側面側において、ガイドレール１８とスライドテーブル１６との間にハウジング２４を介在させて構成する。スライドテーブル１６とハウジング２４との間にはバネ２５を設けて、ハウジング２４をガイドレール１８の方向に付勢する。ハウジング２４とガイドレール１８との間には、ボール１７を介在させて、スライドテーブル１６とハウジング２４とを一体的にガイドレール１８に対してスライドさせる。この例では、ハウジング２４を含むスライドテーブル１６およびスライドプレート１４が本発明のスライド部材に相当する。
【００３３】
ガイドレール１８と、これを跨ぐように設けられるスライドテーブル１６とによってスライドさせる構成において、スライドテーブル１６の加工性が悪いと、スライドテーブル１６をスライドさせるといの摩擦抵抗が大きくなり滑らかなスライド動作を行うことができなくなる。このため、本実施形態のように、ガイドレール１８を跨ぐ部材をハウジング２４として分離して独立させ、ハウジング２４を水平方向に移動可能とすることで、加工精度が悪くなってもハウジング２４の動きでこれを吸収することで、滑らかなスライド動作を可能とすることができる。
【００３４】
（実施形態５)
図８は、本発明よるスタンド部材のさらに他の構成例を示す斜視図である。本例では、スタンド部材のスライド部材をスライドさせる機構にローラを用いて構成している。スライドテーブル１６には、複数（例えば２つまたは４つ）のローラを設け、そのローラをガイドレール１８に接触させて回転させる。これにより、スライド部材（スライドテーブル１６、スライドプレート１４）をガイドレール１８に対してスライドさせることができ、スライドプレート１４に取り付けた支柱１１のスライド動作を行わせることができる。
【００３５】
図９は、図８の構成のスライド部材とガイドレールの構成を示す断面図である。スタンドベース１９の上にガイドレール１８が設けられている。ガイドレール１８に対してスライドするスライドテーブル１６には、４か所にローラ２８が設けられる。ローラ２８は、ガイドレール１８の側壁の両側にそれぞれ上下に２つずつ配置される。２つのローラ２８は、段付きシャフト２７に取り付けられ、段付きシャフト２７がスライドテーブル１６に回転可能に取り付けられ、各ローラ２８がガイドレール１８に接触する。
【００３６】
段付きシャフト２７の取り付け部分は、長穴になっていて、板ばね２６によりガイドレール１８に向けて付勢される。長穴により段付きシャフト２７がガイドレール１８と反対方向に逃げることができるため、ガイドレール１８とローラ２８との抵抗を適宜軽減して円滑なスライド動作を実行することができる。なおローラ２８に代えてベアリングを用いてもよい。
【００３７】
図１０は、図８および図９の構成のスライドテーブルの斜視下方図である。スライドテーブル１６の底面側には、スタンドベース１９に接触してスライドテーブル１６を支持する底面側ローラ２９が備えられる。底面側ローラ２９は、スライドテーブルの底面側４か所に設けられる。これによりスタンドベース１９との間のスライド動作も円滑に行われる。なお底面側ローラ２９に代えてベアリングを用いてもよい。
【００３８】
上記の構成により、表示装置２を保持するために用いられるスタンドにおいて、デザイン性を重視したセパレートタイプで表示装置２の表示画面の方向を簡易な構造で容易に回転させることができるようにしたスタンドを提供することができる。
上記の各実施形態で記載されている技術的特徴（構成要件）は、お互いに組み合わせ可能であり、組み合わせることにより、新しい技術的特徴を形成することができる。
【符号の説明】
【００３９】
１…スタンド部材、２…表示装置、３…回転中心軸部材、１１…支柱、１２…上カバー、１３…プロテクションシート、１４…スライドプレート、１５…支柱軸、１６…スライドテーブル、１７…ボール、１８…ガイドレール、１９…スタンドベース、２０…底カバー、２１…ピン、２２…凹部、２３…バネ、２４…ハウジング、２５…バネ、２６…板ばね、２７…シャフト、２８…ローラ、２９…底面側ローラ、３１…アングル、３２…ピン。
【図１】
2016057517.tif 000003
【図２】
2016057517.tif 000004
【図３】
2016057517.tif 000005
【図４】
2016057517.tif 000006
【図５】
2016057517.tif 000007
【図６】
2016057517.tif 000008
【図７】
2016057517.tif 000009
【図８】
2016057517.tif 000010
【図９】
2016057517.tif 000011
【図１０】
2016057517.tif 000012